(57)【要約】      （修正有）【課題】ファッション性に優れ、履き心地が良好で長時間履いても疲労し難い女性用サンダルのインソールと女性用サンダルを提供する。【解決手段】女性用サンダル１の中底２は、剛性の大きい材料から形成されて足裏面を支持するようになっているが、その上面２ａは足の投影面に対して土踏まずの部分がえぐれた形状７になっている。インソール１０は、中底２の上面２ａを越えて外方に張り出している、所定肉厚の土踏まず部１１を設ける。この張り出した土踏まず部１１は、女性用サンダル１を履いたときに足の甲を押さえるようになっている甲ベルト５によって支持される。【選択図】図１
0003183243.tif 000002
【実用新案登録請求の範囲】
【請求項１】
比較的剛性の大きい材料から形成されて足裏面を支持すると共にその上面が足の投影面に対して土踏まずの部分がえぐれた形状になっている中底と、該中底に取り付けられて足の甲を押さえるようになっている甲ベルトと、を備えた女性用サンダルにおいて、
前記中底の上面に貼り付けられるインソールは所定の肉厚に形成された土踏まず部を備え、該土踏まず部は前記中底の上面を越えて外方に張り出していると共に前記甲ベルトによって支持されるようになっていることを特徴とする女性用サンダルのインソール。
【請求項２】
請求項１に記載のインソールにおいて、前記インソールは足裏に接する表側シートと、該表側シートの裏面側に設けられている裏側シートとからなり、前記表側シートと前記裏側シートは一部の縁部が互いに接合されて前記土踏まず部に相当する部分が袋状に形成され、所望のパットが選択的に前記袋に入れられるようになっていることを特徴とする女性用サンダルのインソール。
【請求項３】
請求項１または２に記載のインソールを備えた女性用サンダル。
【考案の詳細な説明】
【技術分野】
【０００１】
本考案は、女性用サンダルあるいはミュールにおいて、足裏面を支持している中底の上面に貼り付けられて履き心地を改善するインソールに関するものである。
【背景技術】
【０００２】
女性用サンダルは、ファッション性の高い履物として女性に人気を博している。女性用サンダルはミュールと呼ばれることがあるし、ミュールは所定の種類の女性用サンダルを意味する場合もあるが、本明細書においては女性用サンダルはこれらを全て含んでいる用語として使用する。さて、女性用サンダルは、色々な素材から製造されており、色々なデザインのものがあるが、基本的には概ね図５に示されているような構成からなる。すなわち、女性用サンダル５０は、足裏面を支持している固い足裏部材すなわち中底５１と、この中底５１の下面に貼り合わされている本底５７と、中底５１のかかとの部分に設けられているヒール５２と、中底５１に設けられている甲ベルト５３とからなる。中底５１は、複数層に積層された天然皮革、人工皮革、不織布、コルク、樹脂等の変形し難い固い素材からなり、ヒール５２によってかかと部分がつま先に比して高くなるように形成されている。ヒール５２は中底５１あるいは本底５７と同じ部材から構成されることもあるが、これらと別の部材から形成されて一体的に固着されているものが多い。本底５７は地面に接する部材であり、少なくとも中底５１の踏み付けに相当する前方部分は中底５１を完全に被覆しているが、他の部分については女性用サンダルのデザインに応じて被覆している範囲が異なる。このような本底５７と中底５１の間には、クッション性を備えた中物が詰められることもある。さて、中底５１についてさらに詳しく説明すると、中底５１の上面５１ａ、すなわち足裏を支持する面は足裏と類似した形状をしている。ただしこの上面５１ａは足の投影面よりも小さくなっている。すなわち足の土踏まずに相当する部分がえぐれた形状を呈している。中底５１の上面５１ａは、その形状が理解しやすいように図５において実線で描かれている。このような上面５１ａは、符号５５で示されているつま先の近傍のいわゆる踏み付けにおいて概ね水平になっているが、かかと部分から中間部分は傾斜しており、特にヒール５２の高さが高いほど傾斜は大きい。甲ベルト５３は、デザインに応じて天然皮革、人工皮革、ビニール、紐、網等から構成され、１本あるいは複数本からなるが、女性用サンダル５０を履いたときに、ちょうど足の甲に位置するようになっている。つまり、女性用サンダル５０を履くと、足は中底５１の上面５１ａの傾斜によって前方に滑ろうとするが、甲ベルト５３によって足の甲が押さえられるようになっている。なお、女性用サンダル５０によっては、デザインに応じてかかとの部分や足首に巻き付くベルトも設けられているが、これらは体重を支えるものではない。
【０００３】
このような女性用サンダル５０には、中底５１の上面５１ａに薄いシート、すなわちインソールが貼られている。インソールは、例えばコルク材、天然皮革、人工皮革、布、ビニール、ウレタン、あるいはこれらの複合材料等から構成され、若干のクッション性を備え、履き心地を良好にしている。あるいは足裏が滑りにくいように滑り止め効果を奏したり、汚れ防止効果を奏しており、必要に応じて貼り替えることもできる。
【先行技術文献】
【特許文献】
【０００４】
【特許文献１】実用新案登録第３１２３１５２号公報
【特許文献２】実用新案登録第３１１０６８３号公報
【０００５】
特許文献１には、デザイン性を備えると共に履き心地を改善するインソールを備えたサンダルが記載されている。このインソールは、土踏まず部分と、中足骨近傍部分すなわち踏み付け部分と、のそれぞれにクッション性を有する素材によって盛り上げられている。これによって良好な履き心地が得られる。また特許文献２には、歩行するとマッサージ効果が得られるインソールを備えたサンダルが記載されている。このインソールは中底の上面の形状と略等しく形成されており、全体が嚢体状に形成され内部に所定の液体が注入されている。従ってサンダルを履いて歩行すると、嚢体内の液体が流動してマッサージ効果が得られる。
【考案の概要】
【考案が解決しようとする課題】
【０００６】
従来のインソールによっても、あるいは特許文献１、２に記載のインソールによっても、ある程度良好な履き心地が得られる。しかしながら、必ずしも十分に満足できる履き心地が得られるとは言えない。女性用サンダルにおいては、前記したように中底の上面の形状は、足裏の投影面に対して土踏まずの部分が小さくなっている。そうするとサンダルを履くと土踏まずは浮いた状態になってしまう。そうすると足裏にかかる体重の大きな割合が、図５の符号５５で示されている踏み付け部分と、符号５６で示されているかかと部分に集中してしまい、長時間立った状態でいたり長時間歩行すると疲労し易い。特許文献１に記載のインソールにおいては土踏まず部分に若干の盛り上がりが形成されてはいるが、これは中底の上面に設けられているので、足裏の土踏まずの内側寄りの一部にしか対応していない。つまり実際には土踏まずの大部分は浮いた状態になるので疲労し易い点では同様である。女性用サンダルはファッショ性に優れており、女性にとって人気のある履物ではあるが、このように長時間履くと疲労し易く足に負担がかかる問題があるので、年齢を経るに従って敬遠される傾向がある。仮に、中底を従来の形状のものから変えて、土踏まずの部分を設けると共にこの部分を盛り上げた形状にして、このような中底を備えた女性用サンダルを提供すれば、疲労し易いという問題は解決できるかも知れないが、このような形状の中底を製造するには土踏まずの部分を盛り上げるための専用の金型が格別に必要になりコスト高になってしまう。また市販されている従来の形状の中底を備えた女性用サンダルについては問題は解決されない。
【０００７】
本考案は、上記したような従来の問題を解決した、女性用サンダルのインソールを提供することを目的としており、具体的には、従来の女性用サンダルに対しても安価に適用することができ、ファッション性を損なうことなく、履き心地が良好で長時間履いても疲労し難い女性用サンダルのインソールを提供することを目的としている。また、そのようなインソールを備えた女性用サンダルを提供することを目的としている。
【課題を解決するための手段】
【０００８】
本考案は、上記目的を達成するために、女性用サンダルのインソールにおいて所定の肉厚の土踏まず部を設ける。女性用サンダルの中底は、剛性の大きい材料から形成されて足裏面を支持するようになっているが、その上面は足の投影面に対して土踏まずの部分がえぐれた形状になっている。本考案においてはインソールの土踏まず部は中底の上面を越えて外方に張り出すように形成する。この張り出した部分は、サンダルを履いたときに足の甲を押さえるようになっている甲ベルトによって支持されるようにする。
【０００９】
すなわち本考案は、比較的剛性の大きい材料から形成されて足裏面を支持すると共にその上面が足の投影面に対して土踏まずの部分がえぐれた形状になっている中底と、該中底に取り付けられて足の甲を押さえるようになっている甲ベルトと、を備えた女性用サンダルにおいて、前記中底の上面に貼り付けられるインソールは所定の肉厚に形成された土踏まず部を備え、該土踏まず部は前記中底の上面を越えて外方に張り出していると共に前記甲ベルトによって支持されるようになっていることを特徴とする女性用サンダルのインソールとして構成される。
請求項２に記載の考案は、請求項１に記載のインソールにおいて、前記インソールは足裏に接する表側シートと、該表側シートの裏面側に設けられている裏側シートとからなり、前記表側シートと前記裏側シートは一部の縁部が互いに接合されて前記土踏まず部に相当する部分が袋状に形成され、所望のパットが選択的に前記袋に入れられるようになっていることを特徴とする女性用サンダルのインソールとして構成される。
請求項３に記載の考案は、請求項１または２に記載のインソールを備えた女性用サンダルとして構成される。
【考案の効果】
【００１０】
以上のように、本考案によると、比較的剛性の大きい材料から形成されて足裏面を支持すると共にその上面が足の投影面に対して土踏まずの部分がえぐれた形状になっている中底と、該中底に取り付けられて足の甲を押さえるようになっている甲ベルトと、を備えた女性用サンダルを対象とするインソールとして構成される。そして、本考案によると、中底の上面に貼り付けられるインソールは所定の肉厚に形成された土踏まず部を備え、該土踏まず部は中底の上面を越えて外方に張り出している。つまり中底の上面形状を越えて、肉厚の土踏まず部が広く設けられているので足裏の土踏まずに広い範囲で接することになる。そしてこのように中底の上面を越えて外方に張り出していると下方に垂れ下がってしまう可能性があるが、本考案によると、土踏まず部は甲ベルトによって支持されるようになっている。つまり甲ベルトによって垂れ下がりが防止される。これによってインソールの土踏まず部は確実に足裏の土踏まずに密着し、この部分においても体重を支えることができる。このようなインソールを備えた女性用サンダルを履くと、土踏まずを含めた足裏全体に体重が分散することになり疲れにくい。このことは歩行時に足が受ける衝撃が分散することも含まれている。さらには土踏まず部は土踏まずをマッサージする効果も得られるし、足の結合組織が柔らかな女性がなりやすい扁平足による足アーチの低下を緩和できる。また他の考案によると、インソールは足裏に接する表側シートと、該表側シートの裏面側に設けられている裏側シートとからなり、表側シートと裏側シートは一部の縁部が互いに接合されて土踏まず部に相当する部分が袋状に形成され、所望のパットが選択的に袋に入れられるようになっている。従って、挿入するパットを選定することによって土踏まず部を所望の肉厚で所望の大きさに調整することができる。さらには、土踏まず部は裏面側が裏側シートによって構成されているので美観を損なうこともない。詳しく説明すると、従来の女性用サンダルを履いて歩くと足裏の土踏まずの部分が見えるが、本考案に係るインソールを備えた女性用サンダルの場合には、中底よりも外方に張り出している土踏まず部の裏側が見えることになる。本考案によるとこの見える部分が裏側シートから構成されているので、裏側シートを表側シートと同じ素材のシートから、あるいは足裏の肌色と類似した色のシート等から構成すれば美観を損なうことがない。つまり、履き心地に優れていながらファッション性を損なわない、という本考案に特有の効果が得られる。
【図面の簡単な説明】
【００１１】
【図１】本考案の実施の形態に係る女性用サンダルの斜視図である。
【図２】本考案の実施の形態に係るインソールを説明する図で、その（ア）、（イ）はそれぞれインソールの正面図と背面図、その（ウ）、（エ）はインソールに入れられるパットの正面図と背面図である。
【図３】本考案の実施の形態に係るインソールにパットを挿入して女性用サンダルの中底に設ける方法を説明する図で、その（ア）〜（ウ）はそれぞれの作業を説明する図である。
【図４】本考案の実施の形態に係るインソールに入れられる色々なパットを説明する図であり、その（ア）〜（ウ）は、異なる厚さおよび大きさのパッドを示す正面図である。
【図５】従来の女性用サンダルを示す斜視図である。
【考案を実施するための形態】
【００１２】
以下、本考案の実施の形態に係る女性用サンダル１について説明する。本考案の実施の形態に係る女性用サンダル１も、従来の女性用サンダルと同様に構成され、図１において点線で示されているように、比較的固い素材からなる足裏部材すなわち中底２と、この中底２の下面に貼り付けられている本底４と、中底２のかかと部分に設けられているヒール３と、中底２に設けられている甲ベルト５とから構成されている。中底２ａは、例えば天然皮革を何層にも積層して形成することもできるし、あるいは樹脂、他の素材から形成することもでき、比較的固い素材からなる。このように中底２ａは固い素材から形成されているし、さらにはゴム、天然皮革等からなる本底４も貼り合わされているので、中央部分が弾性的にわずかに折り曲がって歩行には支障を来さないが、全体としての剛性は大きい。このような中底２の上面２ａは、足裏の形状と略等しく形成されているが、足の投影面よりも土踏まずの部分がえぐれている。さらに詳しく言うと、内踏まずに相当する部分がえぐれている。図１においては、上面２ａのえぐれている部分７が二点鎖線で描かれている。ヒール３は中底２と同じ部材から構成されていてもよいが、例えば木材、樹脂、ウレタン等の別の素材から形成されていてもよい。ヒール３の高さはデザインに応じて選定されているが、本実施の形態においては比較的高く、これによって中底２の上面２ａは大きく傾斜している。甲ベルト５は、本実施の形態においては２本のベルト５ａ、５ｂから構成されている。１本の甲ベルト５ａは一方の端部が中底２の側方の内踏まずに相当する部分に接続され、他方の端部が中底２の反対側の先端近傍の側部に接続されている。そして他の一本の甲ベルト５ｂは、その一方の端部が中底２の側方の外踏まずに相当する部分に接続され、他方の端部が中底２の反対側の先端近傍の側部に接続されている。従って女性用サンダル１を履くと足の甲が２本の甲ベルト５ａ、５ｂによって押さえられることになる。なお、甲ベルト５は１本から、あるいは３本以上の複数本から構成することもできる。
【００１３】
本実施の形態に係る女性用サンダル１は、中底２の上面２ａに貼り付けられているインソール１０に特徴がある。本実施の形態に係るインソール１０は、図１において実線で描かれているが、所定の肉厚の土踏まず部１１が設けられている点に特徴がある。土踏まず部１１は、足裏の内踏まずに対応する部分であり、中底２の上面２ａを越えて外方に張り出している。この張り出した土踏まず部１１は、甲ベルト５ａによって支持されており、それによって女性用サンダル１を履いたときに土踏まず１１は下がることなく内踏まずに強く押し当てられることになる。なお、本実施の形態においてはインソール１０は先端のつま先部分が切断されて上面２ａの先端部が露出している。しかしながらこの切断されている部分は本考案において特徴的な部分ではなく、必要に応じて色々な形状にすることができ、例えば上面２ａ全体を覆う形状にすることもできる。
【００１４】
本実施の形態に係るインソール１０について、図２によって詳しく説明する。本実施の形態に係るインソール１０は、図２の（ア）〜（エ）に示されているように、表側シート１３と、裏側シート１４と、パット１５とから構成されている。表側シート１３と裏側シート１４は、例えば天然皮革、裏側にフェルトを備えた人工皮革等、いろいろな素材から構成することができる。本実施の形態においては表側シート１３、裏側シート１４は、その表面が肌色に近い色に選定されている。表側シート１３は、足裏の形状に合わせて形成されているが足指に相当する部分が切断され、内踏まずに相当する部分が張り出している。この張り出した部分が土踏まず部１１を形成している。土踏まず部１１に相当する部分には通気性を確保する目的で、あるいは美観を高める目的で小さな孔が多数明けられている。裏側シート１４は、表側シート１３よりも小さく、土踏まず部１１に対応する部分より若干大きい程度である。このような表側シート１３と裏側シート１４は、一部の縁部１８において縫合されており、これによって土踏まず部１１が袋状に形成されている。この袋状の部分には、発砲ウレンタン、あるいはラテックス状の素材からなるクッション性に優れたパット１５を入れることができるようになっている。パット１５は表面側１５ａにおいて中央部が若干盛り上がっており、裏面側１５ｂは平らになっている。
【００１５】
次のようにしてインソール１０を女性用サンダル１に設ける。まず、パット１５を、図３の（ア）に示されているように、表側シート１３と裏側シート１４とによって形成されている袋に入れる。次いで、パット１５が入れられたインソール１０を、図３の（イ）に示されているように、表側シート１３が表になるようにして中底２の上面２ａに貼り付ける。そうすると、既に説明したように土踏まず部１１は、中底２の上面２ａを越えて外方に張り出すが、この部分は図示されていない甲ベルトによって支持されることになる。また土踏まず部１１はパット１５によって肉厚に形成される。このようにしてインソール１０が張り合わされた中底２を裏面側から見ると、図３の（ウ）に示されているように土踏まず部１１が露出した状態で見える。女性用サンダル１を履いて歩行するときにこの部分が見える部分になるが、この見える部分は裏側シート１４の表面側になっているので、美観を損なうことはない。
【００１６】
本実施の形態に係るインソール１０は、土踏まず部１１に挿入するパット１５を適宜交換できるようになっており、図４に示されているような、色々な大きさの、色々な厚さのパット１５Ａ、１５Ｂ、１５Ｃを選択して挿入できる。これによって顧客の好みに応じて土踏まず部１１の肉厚や大きさを調整することができる。
【００１７】
本実施の形態においてはインソール１０の土踏まず部１１は、比較的広い部分において甲ベルト５ａによって支持されている。しかしながら女性用サンダル１によっては、デザインに応じて甲ベルト５ａは細い紐から構成される場合もある。そのような場合であっても、土踏まず部１１の一部だけでも甲ベルト５ａによって支持されていれば、土踏まず部１１は全体として落下しにくいので、足裏に適切に密着して疲労を防止することができる。
【符号の説明】
【００１８】
１              女性用サンダル      
２              中底
２ａ            上面    
３              ヒール
４              本底
５、５ａ、５ｂ  甲ベルト
１０            インソール
１１            土踏まず部
１３            表側シート
１４            裏側シート
１５            パット
【図１】
0003183243.tif 000003
【図２】
0003183243.tif 000004
【図３】
0003183243.tif 000005
【図４】
0003183243.tif 000006
【図５】
0003183243.tif 000007